(57)【特許請求の範囲】
【請求項１】
複数枚の紙が中綴じされた冊子状媒体の捲り対象ページに捲りローラを接触させ、捲り対象ページの紙が膨らむような方向に前記捲りローラを回転させ、捲り対象ページの紙を前記捲りローラの上部に跳ね上げさせた後、冊子状媒体全体を跳ね上げられた紙が捲られる方向に移動させることにより、ページ捲りを行うページ捲り機構であって、
捲り対象ページの紙の端部を引っ掛けるための前端面を有し前記対象ページを跳ね上げる羽根を放射状に複数枚有する跳ね上げ補助ローラが、前記捲りローラと同軸的に設けられ、さらに、前記跳ね上げ補助ローラの羽根の先端外周面には、前記跳ね上げ補助ローラの回転中心軸と平行で且つ前記回転中心軸方向に延びた断面Ｖ字形でこのＶ字形の内壁面が捲り対象ページの紙の端部を引っ掛けるように形成された溝が設けられたページ捲り機構。
【請求項２】
請求項１記載のページ捲り機構に用いられ、
捲り対象ページの紙の端部を引っ掛けるための前端面を有し前記対象ページを跳ね上げる羽根を放射状に複数枚有し、且つ、前記捲りローラと同軸的に設けられる跳ね上げ補助ローラであって、さらに前記羽根の先端外周面には、前記跳ね上げ補助ローラの回転中心軸と平行で且つ前記回転中心軸方向に延びた断面Ｖ字形でこのＶ字形の内壁面が捲り対象ページの紙の端部を引っ掛けるように形成された溝が設けられた跳ね上げ補助ローラ。
【発明の詳細な説明】
【０００１】
【発明の属する技術分野】
本発明は、複数枚の紙が中綴じされた冊子状媒体の捲り対象ページに捲りローラを接触させ、捲り対象ページの紙が膨らむような方向に捲りローラを回転させ、捲り対象ページの紙を捲りローラの上部に跳ね上げさせた後、冊子状媒体全体を跳ね上げられた紙が捲られる方向に移動させることにより、ページ捲りを行うページ捲り機構、並びに、このページ捲り機構に用いられる跳ね上げ補助ローラに関する。
【０００２】
【従来の技術】
近年、コンピュータバンキングシステムが急速に進展し、金融機関等においては、窓口でテラーによって操作される通帳処理（印字）装置や、顧客によって直接操作されるＡＴＭ（自動預金支払機）等が多く用いられている。この装置内には、装置内に挿入された通帳のページ捲りを行うページ捲り機構が組み込まれている。
【０００３】
このページ捲り機構は、通帳の捲り対象ページに捲りローラを接触させ、捲り対象ページの紙が膨らむような方向に捲りローラを回転させ、捲り対象ページの紙を捲りローラの上部に跳ね上げさせた後、通帳全体を、跳ね上げられた紙が捲られる方向に移動させることにより、ページ捲りを行っている。
【０００４】
この構成では、捲りローラの摩擦力だけで跳ね上げを行っているが、捲りローラ表面の汚れや摩耗による摩擦力の低下や、通帳の変形により、跳ね上げを行えない不具合が生じることがある。
【０００５】
そこで、跳ね上げを補助するために、捲り対象ページの紙の端部を引っ掛けて跳ね上げる羽根を放射状に複数枚有する跳ね上げ補助ローラを、捲りローラと同軸的に設けたものがある。
【０００６】
図１０に示すように、この跳ね上げ補助ローラ１０は、複数枚の紙が中綴じされた通帳２０の捲り対象ページの紙（この図では、中紙２１）の端部を引っ掛けて跳ね上げる羽根１１を放射状に複数枚有する。羽根１１は、その厚さがｗであり、一定角度θの間隔で設けられている。
【０００７】
羽根１１は、羽根１１の前端面１１ａで中紙２１の端部を引っ掛けて跳ね上げるだけでなく（引っ掛け跳ね上げ効果）、先端外周面が中紙２１に摺接した時に、その摩擦力で中紙２１の跳ね上げを促すものである（摩擦跳ね上げ効果）。
【０００８】
【発明が解決しようとする課題】
羽根１１の角度間隔θを小さくすれば、羽根１１の前端面１１ａが速やかに中紙２１の端部に引っ掛かるが、図１１に示すように、羽根１１の間隔が小さくなり過ぎると、羽根１１の前端面１１ａが中紙２１の端部に引っ掛からなくなり、引っ掛け跳ね上げ効果が全く得られなくなるという問題がある。
【０００９】
一方、羽根１１の厚さｗについては、それが小さいと、羽根１１の先端外周面が柔らかくなって中紙２１によく吸着し、摺接時の摩擦力が高くなり、摩擦跳ね上げ効果は向上する。しかし、羽根１１の摩耗が速いという問題がある。逆に、羽根１１の厚さｗを大きくすると、羽根１１の摩耗が遅くなるものの、摩擦跳ね上げ効果が低下するという問題がある。
【００１０】
本発明の課題は、速やかに紙の端部を引っ掛けて跳ね上げるだけでなく、先端外周面が紙に摺接した時に、その摩擦力で紙の跳ね上げを良好に進めることができ、しかも羽根の摩耗も遅い跳ね上げ補助ローラを実現することにある。
【００１１】
又、本発明の他の課題は、ページ捲りを良好に行え、かつ、跳ね上げ補助ローラの交換サイクルを長くできるページ捲り機構を実現することにある。
【００１２】
【課題を解決するための手段】
請求項１に係る発明は、複数枚の紙が中綴じされた冊子状媒体の捲り対象ページに捲りローラを接触させ、捲り対象ページの紙が膨らむような方向に前記捲りローラを回転させ、捲り対象ページの紙を前記捲りローラの上部に跳ね上げさせた後、冊子状媒体全体を跳ね上げられた紙が捲られる方向に移動させることにより、ページ捲りを行うページ捲り機構であって、捲り対象ページの紙の端部を引っ掛けるための前端面を有し前記対象ページを跳ね上げる羽根を放射状に複数枚有する跳ね上げ補助ローラが、前記捲りローラと同軸的に設けられ、さらに、前記跳ね上げ補助ローラの羽根の先端外周面には、前記跳ね上げ補助ローラの回転中心軸と平行で且つ前記回転中心軸方向に延びた断面Ｖ字形でこのＶ字形の内壁面が捲り対象ページの紙の端部を引っ掛けるように形成された溝が設けられたページ捲り機構である。
請求項２に係る発明は、請求項１記載のページ捲り機構に用いられ、捲り対象ページの紙の端部を引っ掛けるための前端面を有し前記対象ページを跳ね上げる羽根を放射状に複数枚有し、且つ、前記捲りローラと同軸的に設けられる跳ね上げ補助ローラであって、さらに前記羽根の先端外周面には、前記跳ね上げ補助ローラの回転中心軸と平行で且つ前記回転中心軸方向に延びた断面Ｖ字形でこのＶ字形の内壁面が捲り対象ページの紙の端部を引っ掛けるように形成された溝が設けられた跳ね上げ補助ローラである。
【００１３】
本発明では、羽根の先端外周面に、直線状の溝が形成されているので、先端外周面での厚さ（図１のｗ１，ｗ２参照）は小さくなる。このため、羽根の先端外周面が柔らかく、紙によく吸着し、摺接時の摩擦力が高くなり、摩擦跳ね上げ効果が向上する。
【００１４】
さらに、直線状の溝を形成したことで、羽根の前端面（図１の３１ａ参照）で紙の端部を引っ掛けて跳ね上げるだけでなく、溝の内壁面（図１の３２ａ参照）でも紙の端部を引っ掛けて跳ね上げることができる。このため、羽根が速やかに紙の端部に引っ掛かり、紙を跳ね上げることができる。
【００１５】
又、使用により、羽根の前側先端部が摩耗しても（図３参照）、溝の内壁面により紙の端部を引っ掛けて跳ね上げることができると共に、後側先端部（図３の３２ｂ参照）による紙の摩擦跳ね上げも行える。このため、跳ね上げ補助ローラとしての寿命は長くなる。
【００１６】
直線状の溝の断面がＶ字形であれば、羽根は根元側が太くなるため、羽根の先端部の消耗スピードも消耗の度合いに応じて遅くなり、メンテナンスが容易になるし、溝の内壁面による紙の端部の引っ掛けも確実になる。
【００１８】
ページ捲り機構の発明では、上記跳ね上げ補助ローラを用いているので、ページ捲りを良好に行え、かつ、跳ね上げ補助ローラの交換サイクルを長くできる。
【００１９】
【実施の形態】
（第１の形態例；跳ね上げ補助ローラ）
図１〜図３を用いて跳ね上げ補助ローラの形態例を説明する。図１に示すように、本形態例の跳ね上げ補助ローラ３０は、Ｒ方向に回転することにより、その羽根３１が、例えば通帳４０の捲り対象ページの紙４１の端部を引っ掛けて跳ね上げるものである。この羽根３１は、ゴム等の弾性材料からなり、放射状に複数枚配置されている。羽根３１の間隔は、通常、等間隔に選ばれる。又、羽根３１の先端外周面には、回転中心軸方向に延びた断面Ｖ字形の直線状の溝３２が形成されている。
【００２０】
跳ね上げ補助ローラ３０の羽根３１は、図１に示すように、基本的には厚さがｗ０であるが、その先端外周面には、回転中心軸方向に延びた直線状の溝３２が形成されているので、先端外周面での厚さｗ１，ｗ２は小さくなる。このため、図２のＡ部分に示すように羽根３１の先端外周面が柔らかく、紙４１によく吸着し、摺接時の摩擦力が高くなり、摩擦跳ね上げ効果が向上する。
【００２１】
さらに、直線状の溝３２を形成したことで、羽根３１の前端面３１ａで紙４１（実線４１ａの状態）の端部を引っ掛けて跳ね上げるだけでなく、溝３２の内壁面３２ａでも紙４１（破線４１ｂの状態）の端部を引っ掛けて跳ね上げることができる。このため、羽根３１が速やかに紙４１の端部に引っ掛かり、紙４１を跳ね上げることができる。
【００２２】
又、図３に示すように、使用により、羽根３１の前側先端部が摩耗して、３１ｃ部分が無くなっても、溝３２の内壁面３２ａにより紙４１の端部を引っ掛けて跳ね上げることができると共に、後側先端部３２ｂによる紙４１の摩擦跳ね上げも行える。このため、跳ね上げ補助ローラとしての寿命は長くなる。
【００２３】
なお、溝３２の断面形状がＶ字形であれば、羽根３１は根元側が太くなるため、羽根３１の先端部の消耗スピードも消耗の度合いに応じて遅くなり、メンテナンスが容易になるし、溝３２の内壁面３２ａによる紙４１の端部の引っ掛けも確実になる。しかし、溝３２の断面形状として、矩形等を採用してもよい。
（第２の形態例；ページ捲り機構）
代表的な冊子状媒体である通帳のページ捲りを行うページ捲り機構の形態例を図４〜図８を用いて説明する。本形態例は、図１〜図３に示した跳ね上げ補助ローラを用いたものである。これらの図において、跳ね上げ補助ローラ５０，６０，７０，８０は、図１〜図３に示した跳ね上げ補助ローラ３０と同一の形状を有したもので、それぞれ、羽根５１、６１，７１，８１が設けられている。
【００２４】
各跳ね上げ補助ローラ５０，６０，７０，８０の近傍には、それぞれ、捲りローラ５５，６５，７５，８５が同軸的に配設されている。詳細には、跳ね上げ補助ローラ５０，７０と捲りローラ５５，７５が回転駆動軸９１に同軸的に取り付けられ、跳ね上げ補助ローラ６０、８０と捲りローラ６５，８５が回転駆動軸９２に同軸的に取り付けられている。回転駆動軸９１，９２は、図示しないモータにより、独立して正逆に回転されるものである。
【００２５】
捲りローラ５５，６５，７５，８５に下方から対向するように、それぞれ、テンションローラ５７，６７，７７，８７が配置されている。テンションローラ５７，６７，７７，８７は、図示しない制御手段の指示により、ロック／アンロックがなされると共に、それぞれ、通帳１００を捲りローラ５５，６５，７５，８５に押圧する押圧位置に移動したり、捲りローラ５５，６５，７５，８５から下方に離れた退避位置に移動できるようになっている。
【００２６】
捲りローラ５５，７５と捲りローラ６５，８５との間には、通帳１００の上面と対向するガイド１１０が、傾動及び昇降自在に配置されている。本形態例では、回転駆動軸９１，９２と平行な軸１１１が、ガイド１１０を傾動自在に支持し、回転駆動軸９１，９２と平行な共通の軸を回転中心軸Ｏとするサポートアーム１１２，１１３が、その回動端部で軸１１１を支持することにより、ガイド１１０の傾動及び昇降を可能にしている。
【００２７】
捲りローラ５５，７５と捲りローラ６５，８５との間には、通帳１００の下面と対向するように、プレッシャ１２１，１２２が配置されている。プレッシャ１２１は、制御手段の指示により、通帳１００の捲りローラ５５，７５寄りの部分を押し上げて、通帳１００を上に凸に湾曲させるもの、プレッシャ１２２は、制御手段の指示により、通帳１００の捲りローラ６５，８５寄りの部分を押し上げて、通帳１００を上に凸に湾曲させるものである。プレッシャ１２１，１２２は、その押圧部が上昇できるように、基端部が支持軸１２３に回動可能に嵌合されている。
【００２８】
図示しないが、サポートアーム１１２，１１３もしくはガイド１１０の近傍には、捲り対象ページの紙１０１が捲りローラ５５，７５の上部に跳ね上がったことを、サポートアーム１１２，１１３もしくはガイド１１０の位置から検知する跳ね上げセンサが設けられている。この跳ね上げセンサの出力を受け、制御手段は、回転駆動軸９１，９２の回転制御や、テンションローラ５７，６７，７７，８７のロック／アンロックや昇降制御、プレッシャ１２１，１２２の昇降制御等を行い、ページ捲りを行う。
【００２９】
次に、図９のフローチャートを用いて、制御手段によるページ捲りの動作を説明する。まず、テンションローラ５７，６７，７７，８７を押圧位置に移動させ、図５の矢印方向に捲りローラ５５，６５，７５，８５を回転させ、通帳１００の吸入動作を行う（Ｓ１）。これにより、通帳１００は図５の左方向に移動する。そして、図５に示すように、通帳１００の綴じ部１００Ａが捲りローラ６５，８５を越えると、図示しない捲り位置到達検知センサの出力から、通帳１００が捲り位置に到達したことを認識し、捲りローラ５５，６５，７５，８５を停止し（Ｓ２）、図６に示すようにテンションローラ５７，７７を退避位置に移動させる。又、テンションローラ６７，８７をロックする（Ｓ３）。
【００３０】
次に、図６に示すようにプレッシャ１２１を上昇させ、通帳１００の捲りローラ５５，７５寄りの部分を押し上げて、通帳１００を上に凸に湾曲させ、複数枚の紙が中綴じされた通帳１００の捲り対象ページに捲りローラ５５，７５を接触させる。その後、捲り対象ページの紙１０１が膨らむように捲りローラ５５，７５を図６の矢印方向に回転させる（Ｓ４）。この時、跳ね上げ補助ローラ５０，７０も回転するため、跳ね上げ動作は確実になされ、図７に示すように、捲り対象ページの紙１０１が捲りローラ５５，７５の上部に跳ね上がる。
【００３１】
この跳ね上がりにより、上記跳ね上げセンサがオフになるため（Ｓ５）、制御手段は、捲りローラ５５，７５を停止させ（Ｓ６）、プレッシャ１２１を下降させる（Ｓ７）。その後、捲りローラ５５，７５の回転と停止を断続的に繰り返す（Ｓ８，Ｓ９）。この駆動の結果、ガイド１１０が紙１０１に沿って傾斜した図７の状態になったことを、跳ね上げセンサのオフにより検出すると、次のステップＳ１１に移る（Ｓ１０）。
【００３２】
ステップＳ１１では、テンションローラ５７，７７を押圧位置に戻し、テンションローラ５７，６７，７７，８７のロックを解除する（Ｓ１１）。そして、図８の矢印方向に捲りローラ５５，６５，７５，８５を回転させ、通帳１００の排出動作を行う（Ｓ１２）。この排出動作の過程での通帳１００全体の移動により、跳ね上げられた紙１０１が捲られる方向に移動させられ、ページが捲られた通帳１００が排出されることになる。
【００３３】
上記形態例のページ捲り機構では、図１〜図３に示した跳ね上げ補助ローラと同一形状の跳ね上げ補助ローラ５０，６０，７０，８０を用いているので、ページ捲りを良好に行え、かつ、跳ね上げ補助ローラ５０，６０，７０，８０の交換サイクルを長くできる。
【００３４】
なお、図５〜図９では、跳ね上げ補助ローラ５０，７０、捲りローラ５５，７５、テンションローラ５７，７７、プレッシャ１２１等を主に用いて、図５〜図８の左側にページ捲りを行う場合を説明したが、跳ね上げ補助ローラ６０，８０、捲りローラ６５，８５、テンションローラ６７，８７、プレッシャ１２２等を主に用いれば、同様な動作により、図５〜図８の右側にページ捲りを行うことができる。
【００３５】
【発明の効果】
以上説明したように、本発明によれば、羽根の先端外周面に、直線状の溝が形成されているので、先端外周面での厚さが小さくなるため、羽根の先端外周面が柔らかく、紙によく吸着し、摺接時の摩擦力が高くなり、摩擦跳ね上げ効果が向上する。
【００３６】
さらに、直線状の溝を形成したことで、羽根の前端面で紙の端部を引っ掛けて跳ね上げるだけでなく、溝の内壁面でも紙の端部を引っ掛けて跳ね上げることができるため、羽根が速やかに紙の端部に引っ掛かり、紙を跳ね上げることができる。
【００３７】
又、羽根の前側先端部が摩耗しても、溝の内壁面により紙の端部を引っ掛けて跳ね上げることができると共に、後側先端部による紙の摩擦跳ね上げも行えるため、跳ね上げ補助ローラとしての寿命は長くなる。
【００３８】
よって、本発明によれば、速やかに紙の端部を引っ掛けて跳ね上げるだけでなく、先端外周面が紙に摺接した時に、その摩擦力で紙の跳ね上げを良好に進めることができ、しかも羽根の摩耗も遅い跳ね上げ補助ローラを実現できる。
【００３９】
さらに、本発明によれば、直線状の溝の断面をＶ字形にし、羽根の根元側を太くしたため、羽根の先端部の消耗スピードも消耗の度合いに応じて遅くなり、メンテナンスが容易になるし、溝の内壁面による紙の端部の引っ掛けも確実になる。
【００４０】
ページ捲り機構の発明によれば、ページ捲りを良好に行え、かつ、跳ね上げ補助ローラの交換サイクルを長くできる。
【図面の簡単な説明】
【図１】本発明に係る跳ね上げ補助ローラの実施の形態例を示す構成図である。
【図２】図１に示した形態例の他の作動状態を示す構成図である。
【図３】図１に示した形態例の摩耗時の効果を示す説明図である。
【図４】本発明に係る捲り機構の実施の形態例を示す斜視図である。
【図５】図４に示した形態例の主要構成を示す説明図である。
【図６】図５の他の作動状態を示す説明図である。
【図７】図５の他の作動状態を示す説明図である。
【図８】図５の他の作動状態を示す説明図である。
【図９】図４に示した形態例の動作を示すフローチャートである。
【図１０】従来の跳ね上げ補助ローラを示す図である。
【図１１】従来の跳ね上げ補助ローラの他の例を示す図である。
【符号の説明】
３０           跳ね上げ補助ローラ
３１           羽根
３１ａ         前端面
３２           溝
３２ａ         内壁面
３２ｂ         後側先端部
４０           通帳
４１           紙
５０，６０，７０，８０   跳ね上げ補助ローラ
５１、６１，７１，８１   羽根
５５，６５，７５，８５   捲りローラ
５７，６７，７７，８７   テンションローラ
９１，９２     回転駆動軸
１００         通帳
１０１         紙
１１２，１１３   サポートアーム
１２１，１２２   プレッシャ
【図１】
0003924445.tif 000002
【図２】
0003924445.tif 000003
【図３】
0003924445.tif 000004
【図４】
0003924445.tif 000005
【図５】
0003924445.tif 000006
【図６】
0003924445.tif 000007
【図７】
0003924445.tif 000008
【図８】
0003924445.tif 000009
【図９】
0003924445.tif 000010
【図１０】
0003924445.tif 000011
【図１１】
0003924445.tif 000012